(57)【要約】【課題】画像処理装置から離れた場所で画像処理装置において実行されるジョブのエラーを解消し、ジョブを再度実行することが可能な画像処理システム、画像処理装置、情報処理装置、及び画像処理方法を提供すること。【解決手段】画像処理システム１００は、画像形成装置１０で実行されるジョブのエラーを検出する検出部１５６と、検出部１５６により検出されたエラーに関するエラー情報及びエラーが発生したジョブに関する設定情報を情報処理装置２０に送信可能な第１送信部１５７と、設定情報を変更可能な変更部２１２と、変更部２１２による変更後の設定情報を含むジョブの再実行指示を画像形成装置１０に送信可能な第２送信部２１３と、第２送信部２１３により送信された再実行指示及び設定情報に基づいてジョブを再度実行可能な第２実行部１５８とを含む。【選択図】図１
2015186208.tif 000002
【特許請求の範囲】
【請求項１】
画像処理に関するジョブを実行する画像処理装置と、
前記画像処理装置で実行される前記ジョブのエラーを検出する検出部と、
前記検出部により検出されたエラーに関するエラー情報及び前記エラーが発生した前記ジョブに関する設定情報を予め定められた情報処理装置に送信可能な第１送信部と、
前記情報処理装置に設けられ、前記設定情報を変更可能な変更部と、
前記情報処理装置に設けられ、前記変更部による変更後の前記設定情報を含む前記ジョブの再実行指示を前記画像処理装置に送信可能な第２送信部と、
前記第２送信部により送信された前記再実行指示及び前記設定情報に基づいて前記ジョブを再度実行可能なジョブ実行部と、
を含む画像処理システム。
【請求項２】
前記設定情報が、画像読取処理で読み取られる画像データの送信先、画像形成処理で使用する給紙カセットの選択、画像形成処理で使用する用紙サイズ、及び画像形成処理における画像データの出力倍率のいずれか一つ又は複数の内容を含む請求項１に記載の画像処理システム。
【請求項３】
前記ジョブが画像読取処理で読み取られる前記画像データを指定された送信先に送信する送信ジョブである場合に、前記画像処理装置に入力される画像データを記憶部に記憶させて、前記ジョブが正常終了した後に前記画像データを前記記憶部から削除するデータ制御部を更に備え、
前記ジョブ実行部が、前記再実行指示に対応する前記画像データを前記記憶部から読み出して前記送信ジョブを実行する請求項１又は２に記載の画像処理システム。
【請求項４】
前記第１送信部は、前記設定情報のうち前記エラー情報に対応付けて予め定められた一部又は全部の設定情報を前記情報処理装置に送信する請求項１〜３のいずれかに記載の画像処理システム。
【請求項５】
前記画像処理装置が、予め定められた認証操作に応じてユーザーを前記画像処理装置にログインさせる認証制御部と、前記画像処理装置にログインしたユーザーに対応する前記情報処理装置を特定する第１特定部とを更に備え、
前記第１送信部が、前記ジョブが実行されたときに前記第１特定部によって特定された前記情報処理装置を前記エラー情報及び前記設定情報の送信先として設定する請求項１〜４のいずれかに記載の画像処理システム。
【請求項６】
前記ジョブが、画像データに基づいて画像形成処理を実行する印刷ジョブを含み、
前記画像処理装置が、前記印刷ジョブの送信元に対応する前記情報処理装置を特定する第２特定部を更に備え、
前記第１送信部が、前記第２特定部によって特定された前記情報処理装置を前記エラー情報及び前記設定情報の送信先として設定する請求項１〜５のいずれかに記載の画像処理システム。
【請求項７】
前記情報処理装置が携帯端末である請求項１〜６のいずれかに記載の画像処理システム。
【請求項８】
画像処理に関するジョブのエラーを検出する検出部と、
前記検出部により検出されたエラーに関するエラー情報及びエラーが発生した前記ジョブに関する設定情報を予め定められた情報処理装置に送信可能な第１送信部と、
前記情報処理装置から送信される前記ジョブの再実行指示及び前記情報処理装置によって変更された前記設定情報に基づいて前記ジョブを再度実行可能なジョブ実行部と、
を備える画像処理装置。
【請求項９】
画像処理に関するジョブを実行する画像処理装置から受信する前記ジョブに関する設定情報を変更可能な変更部と、
前記変更部による変更後の前記設定情報を含むジョブの再実行指示を前記画像処理装置に送信可能な第２送信部と、
を備える情報処理装置。
【請求項１０】
画像処理に関するジョブを実行する画像処理装置で実行される前記ジョブのエラーを検出する検出ステップと、
前記検出ステップにより検出されたエラーに関するエラー情報及び前記エラーが発生した前記ジョブに関する設定情報を予め定められた情報処理装置に送信する第１送信ステップと、
前記情報処理装置において前記設定情報を変更する変更ステップと、
前記情報処理装置から前記画像処理装置に前記変更ステップによる変更後の前記設定情報を含むジョブの再実行指示を送信する第２送信ステップと、
前記第２送信ステップにより送信された前記再実行指示及び前記設定情報に基づいて前記ジョブを再度実行するジョブ実行ステップと、
を含む画像処理方法。
【発明の詳細な説明】
【技術分野】
【０００１】
本発明は、画像処理装置及び情報処理装置を備える画像処理システム、及び画像処理システムで実行される画像処理方法に関する。
【背景技術】
【０００２】
複合機のような画像処理装置では、通信装置から送信される印刷データについて印刷処理を実行する印刷ジョブ及び読み取った画像データを外部に送信する送信ジョブなどの種々のジョブが実行される。ところで、画像処理装置で実行されるジョブにエラーが発生することがある。この場合、ユーザーは画像処理装置の設置場所でジョブについて発生したエラーの原因を解消し、再度ジョブの実行を行う。なお、画像処理装置にエラーが生じた場合に携帯端末などの情報処理装置にエラーの発生及び対処方法を通知可能な技術が関連技術（例えば、特許文献１参照）として知られている。
【先行技術文献】
【特許文献】
【０００３】
【特許文献１】特開２００５−６４７６２号公報
【発明の概要】
【発明が解決しようとする課題】
【０００４】
しかしながら、上記関連技術は、情報処理装置において画像処理装置のエラーの発生及び対処方法を把握することが可能であるに過ぎず、画像処理装置から離れた場所で画像処理装置のエラーの解消作業を行うことはできない。
【０００５】
本発明の目的は、画像処理装置から離れた場所で画像処理装置において実行されるジョブのエラーを解消し、ジョブを再度実行することが可能な画像処理システム、画像処理装置、情報処理装置、及び画像処理方法を提供することにある。
【０００６】
本発明の一の局面に係る画像処理システムは、画像処理に関するジョブを実行する画像処理装置と情報処理装置とを備える画像処理システムであって、検出部と、第１送信部と、変更部と、第２送信部と、ジョブ実行部とを備える。前記検出部は、前記画像処理装置で実行される前記ジョブのエラーを検出する。前記第１送信部は、前記検出部により検出されたエラーに関するエラー情報及び前記エラーが発生した前記ジョブに関する設定情報を予め定められた情報処理装置に送信可能である。前記変更部は、前記情報処理装置に設けられ、前記設定情報を変更する。前記第２送信部は、前記情報処理装置に設けられ、前記変更部による変更後の前記設定情報を含む前記ジョブの再実行指示を送信可能である。前記ジョブ実行部は、前記第２送信部により送信された前記再実行指示及び前記設定情報に基づいて前記ジョブを再度実行する。
【０００７】
本発明の他の局面に係る画像処理装置は、検出部と、第１送信部と、ジョブ実行部とを備える。前記検出部は、画像処理に関するジョブのエラーを検出する。前記第１送信部は、前記検出部により検出されたエラーに関するエラー情報及びエラーが発生した前記ジョブに関する設定情報を予め定められた情報処理装置に送信可能である。前記ジョブ実行部は、前記情報処理装置から送信される前記ジョブの再実行指示及び前記情報処理装置によって変更された前記設定情報に基づいて前記ジョブを再度実行可能である。
【０００８】
本発明の他の局面に係る情報処理装置は、変更部と、第２送信部とを備える。前記変更部は、画像処理に関するジョブを実行する画像処理装置から受信する前記ジョブに関する設定情報を変更可能である。前記第２送信部は、前記変更部による変更後の前記設定情報を含むジョブの再実行指示を前記画像処理装置に送信可能である。
【０００９】
本発明の他の局面に係る画像処理方法は、検出ステップと、第１送信ステップと、変更ステップと、第２送信ステップと、ジョブ実行ステップとを含む。前記検出ステップは、画像処理に関するジョブを実行する画像処理装置で実行される前記ジョブのエラーを検出する。前記第１送信ステップは、前記検出ステップにより検出されたエラーに関するエラー情報及び前記エラーが発生した前記ジョブに関する設定情報を予め定められた情報処理装置に送信する。前記変更ステップは、前記情報処理装置において前記設定情報を変更する。前記第２送信ステップは、前記情報処理装置から前記画像処理装置に前記変更ステップによる変更後の前記設定情報を含むジョブの再実行指示を送信する。前記ジョブ実行ステップは、前記第２送信ステップにより送信された前記再実行指示及び前記設定情報に基づいて前記ジョブを再度実行する。
【発明の効果】
【００１０】
本発明によれば、画像処理装置から離れた場所で画像処理装置において実行されるジョブのエラーを解消し、ジョブを再度実行することが可能な画像処理システム、画像処理装置、情報処理装置、及び画像処理方法が実現される。
【図面の簡単な説明】
【００１１】
【図１】本発明の実施の形態に係る画像処理システムの構成を示す図である。
【図２】本発明の実施の形態に係る画像形成装置の構成を示す図である。
【図３】本発明の実施の形態に係る画像形成装置で実行される送信制御処理の一例を示すフローチャートである。
【図４】本発明の実施の形態に係る情報処理装置で実行される設定変更処理の一例を示すフローチャートである。
【図５】本発明の実施の形態に係る情報処理装置に表示されるエラー画面の一例を示す図である。
【図６】本発明の実施の形態に係る情報処理装置に表示される設定変更画面の一例を示す図である。
【発明を実施するための形態】
【００１２】
以下、添付図面を参照しながら本発明の実施の形態について説明し、本発明の理解に供する。なお、以下の実施の形態は、本発明を具体化した一例であって、本発明の技術的範囲を限定する性格のものではない。
【００１３】
［画像処理システム１００］
本発明の実施の形態に係る画像処理システム１００は、図１に示すように、画像形成装置１０と、情報処理装置２０とを備える。前記画像形成装置１０及び前記情報処理装置２０は、インターネット又はＬＡＮなどの通信ネットワーク３０を介して接続可能である。
【００１４】
［画像形成装置１０］
前記画像形成装置１０は、図１及び図２に示すように、ＡＤＦ１１、画像読取部１２、画像形成部１３、給紙部１４、制御部１５、操作表示部１６、通信部１７、及び記憶部１８を備える。前記画像形成装置１０は、原稿から画像データを読み取るスキャン機能及び画像データに基づいて画像を形成するプリンター機能と共に、ファクシミリー機能、又はコピー機能などの複数の機能を有する複合機である。ここで、前記制御部１５を含む装置が、本発明における画像処理装置の一例である。なお、本発明は、プリンター、スキャナー、ファクシミリー装置、及びコピー機のような画像読取装置又は画像形成装置にも適用可能である。
【００１５】
前記ＡＤＦ１１は、図２に示すように、原稿セット部１１１、複数の搬送ローラー１１２、原稿押さえ１１３、及び排紙部１１４を備える自動原稿搬送装置である。そして、前記ＡＤＦ１１では、前記搬送ローラー１１２各々が不図示のモーターで駆動されることにより、前記原稿セット部１１１に載置された原稿が前記画像読取部１２による画像データの読取位置を通過して前記排紙部１１４まで搬送される。これにより、前記画像読取部１２は、前記ＡＤＦ１１により搬送される原稿から画像データを読み取ることが可能である。
【００１６】
前記画像読取部１２は、原稿から画像データを読み取る画像読取処理を実行することが可能な画像読取部である。具体的に、前記画像読取部１２は、図２に示すように、原稿台１２１、読取ユニット１２２、ミラー１２３、ミラー１２４、光学レンズ１２５、及びＣＣＤ（Charge Coupled Device）１２６を備える。前記原稿台１２１は、前記画像読取部１２の上面に設けられた原稿の載置部である。前記読取ユニット１２２は、ＬＥＤ光源及びミラーを備え、不図示のモーターによって副走査方向（図２における左右方向）へ移動可能である。前記ＬＥＤ光源は、主走査方向（図２における奥行方向）に沿って配列された多数の白色ＬＥＤを備える。前記ミラーは、前記ＬＥＤ光源から照射されて前記原稿台１２１上の読取位置にある原稿の表面で反射した後の光を前記ミラー１２３に向けて反射させる。そして、前記読取ユニット１２２の前記ミラーで反射した光は、前記ミラー１２３、ミラー１２４によって前記光学レンズ１２５に導かれる。前記光学レンズ１２５は、入射した光を集光して前記ＣＣＤ１２６に入射させる。前記ＣＣＤ１２６は、前記光学レンズ１２５から入射される光の受光量に応じた電気信号を前記原稿の画像データとして前記制御部１５に入力する光電変換素子などを有する。
【００１７】
前記画像形成部１３は、前記画像読取部１２で読み取られた画像データに基づいて画像を形成する画像形成処理を実行することが可能な電子写真方式の画像形成部である。また、前記画像形成部１３は、前記通信ネットワーク３０を介して外部通信機器から入力された画像データに基づいて前記画像形成処理を実行することも可能である。
【００１８】
具体的に、前記画像形成部１３は、図２に示すように、感光体ドラム１３１、帯電装置１３２、光走査装置（ＬＳＵ）１３３、現像装置１３４、転写ローラー１３５、クリーニング装置１３６、定着ローラー１３７、加圧ローラー１３８、及び排紙トレイ１３９を備える。そして、前記画像形成部１３では、前記給紙部１４から供給されるシートに以下の手順で画像が形成され、画像形成後のシートが前記排紙トレイ１３９に排出される。なお、前記シートは、紙、コート紙、ハガキ、封筒、及びＯＨＰシートなどのシート材料である。
【００１９】
まず、前記帯電装置１３２によって前記感光体ドラム１３１が所定の電位に一様に帯電される。次に、前記光走査装置１３３により前記感光体ドラム１３１の表面に画像データに基づく光が照射される。これにより、前記感光体ドラム１３１の表面に画像データに対応する静電潜像が形成される。そして、前記感光体ドラム１３１上の静電潜像は前記現像装置１３４によってトナー像として現像（可視像化）される。なお、前記現像装置１３４には、前記画像形成部１３に着脱可能なトナーコンテナ１３４Ａからトナー（現像剤）が補給される。続いて、前記感光体ドラム１３１に形成されたトナー像は前記転写ローラー１３５によってシートに転写される。その後、シートに転写されたトナー像は、そのシートが前記定着ローラー１３７及び前記加圧ローラー１３８の間を通過する際に前記定着ローラー１３７で加熱されて溶融定着する。なお、前記感光体ドラム１３１の表面に残存したトナーは前記クリーニング装置１３６で除去される。
【００２０】
前記給紙部１４は、前記画像形成部１３に前記シートを供給する。具体的に、前記給紙部１４は、前記画像形成装置１０に着脱可能であって、各種サイズの前記シートを収納可能な第１給紙カセット１４１、第２給紙カセット１４２、及び第３給紙カセット１４３を備える。例えば、前記第１給紙カセット１４１及び前記第２給紙カセット１４２には、Ａ４サイズの前記シートが収納される。また、前記第３給紙カセット１４３には、Ａ３サイズの前記シートが収納される。
【００２１】
前記制御部１５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１５は、前記ＲＯＭに予め記憶された各種の制御プログラムを前記ＣＰＵを用いて実行することにより前記画像形成装置１０を統括的に制御する。なお、前記制御部１５は、集積回路（ＡＳＩＣ）などの電子回路であってもよい。
【００２２】
ここで、前記画像形成装置１０では、前記制御部１５が前記制御プログラムを実行することにより画像処理に関するジョブが実行される。具体的に、前記画像形成装置１０で実行される前記ジョブには、送信ジョブ及び印刷ジョブが含まれる。
【００２３】
前記送信ジョブは、前記画像読取部１２で読み取られる画像データを前記通信ネットワーク３０を介して外部通信機器に送信するジョブである。前記制御部１５は、前記操作表示部１６で入力された前記送信ジョブに関する第１設定情報に基づいて、前記送信ジョブを実行する。例えば、前記第１設定情報には、画像データの送信先、読取解像度、送信される画像データのデータ形式などが含まれる。
【００２４】
前記印刷ジョブは、前記画像読取部１２で読み取られた画像データ又は前記通信ネットワーク３０を介して外部通信機器から入力された画像データに基づいて前記画像形成処理を実行するジョブである。前記制御部１５は、前記操作表示部１６で入力された、又は前記通信ネットワーク３０を介して外部通信機器から入力された前記印刷ジョブに関する第２設定情報に基づいて、前記印刷ジョブを実行する。例えば、前記第２設定情報には、前記画像形成処理における印刷枚数、印刷ページ範囲、画像データの出力倍率、使用する給紙カセット、及び用紙サイズなどが含まれる。なお、以下の説明で前記第１設定情報及び前記第２設定情報を総称する場合は、設定情報という。
【００２５】
前記操作表示部１６は、前記制御部１５からの制御指示に応じて各種の情報を表示する液晶パネルなどの表示部、及びユーザーの操作に応じて前記制御部１５に各種の情報を入力する操作キー又はタッチパネルなどの操作部を有する。
【００２６】
前記通信部１７は、前記情報処理装置２０などの外部通信機器との間で、前記通信ネットワーク３０を介して有線又は無線によるデータ通信を実行する。
【００２７】
前記記憶部１８は、ＳＳＤ又はＨＤＤなどの記憶部である。前記記憶部１８には、前記画像読取部１２で読み取られた画像データが記憶される。また、前記記憶部１８には、予め定められた認証操作に応じてユーザーをログインさせるために用いられる認証情報が記憶される。具体的に、前記認証情報は、ユーザー毎に予め定められたユーザー名及びパスワードである。更に、前記記憶部１８には、前記情報処理装置２０を示す装置特定情報が、前記画像形成装置１０のユーザー及び前記画像形成装置１０に前記印刷ジョブを送信可能な外部通信機器と対応付けられて記憶されている。例えば、前記装置特定情報は、前記情報処理装置２０の前記通信ネットワーク３０におけるＩＰアドレスである。
【００２８】
ところで、前記画像形成装置１０のような画像処理装置で実行されるジョブにエラーが発生することがある。この場合、ユーザーは画像処理装置の設置場所でジョブについて発生したエラーの原因を解消し、再度ジョブの実行を行う。なお、画像処理装置にエラーが生じた場合に携帯端末などの情報処理装置にエラーの発生及び対処方法を通知可能な技術が関連技術として知られている。
【００２９】
しかしながら、上記関連技術は、情報処理装置において画像処理装置のエラーの発生及び対処方法を把握することが可能であるに過ぎず、画像処理装置から離れた場所で画像処理装置のエラーの解消作業を行うことはできない。これに対し、前記画像処理システム１００では、以下に説明するように、前記画像形成装置１０から離れた場所で前記ジョブのエラーを解消し、前記ジョブを再度実行することが可能である。
【００３０】
具体的に、前記記憶部１８には、前記制御部１５の前記ＣＰＵに後述の送信制御処理（図３のフローチャート参照）を実行させるための送信制御プログラムが予め記憶されている。なお、前記送信制御プログラムは、ＣＤ、ＤＶＤ、フラッシュメモリーなどのコンピューター読み取り可能な記録媒体に記録されており、前記記録媒体から前記記憶部１８などの記憶部にインストールされてもよい。
【００３１】
そして、前記制御部１５は、図１に示すように、認証制御部１５１、第１特定部１５２、データ制御部１５３、第２特定部１５４、第１実行部１５５、検出部１５６、第１送信部１５７、及び第２実行部１５８を含む。前記制御部１５は、前記記憶部１８に記憶された前記送信制御プログラムを前記ＣＰＵを用いて実行することにより、前記認証制御部１５１、前記第１特定部１５２、前記データ制御部１５３、前記第２特定部１５４、前記第１実行部１５５、前記検出部１５６、前記第１送信部１５７、及び前記第２実行部１５８として機能する。ここに、前記第２実行部１５８として機能するときの前記制御部１５が、本発明におけるジョブ実行部の一例である。
【００３２】
前記認証制御部１５１は、前記認証操作に応じてユーザーをログインさせる認証処理を実行する。具体的に、前記認証制御部１５１は、前記操作表示部１６に前記認証操作を行うための認証画面を必要に応じて表示させる。そして、前記認証制御部１５１は、前記認証画面においてユーザーによる前記操作表示部１６に対するログイン情報の入力操作を受け付ける。ここに、前記入力操作が前記認証操作の一例である。その後、前記認証制御部１５１は、前記操作表示部１６から入力された前記ログイン情報が前記認証情報に含まれている場合に認証完了と判断し、前記ユーザーを前記画像形成装置１０にログインさせる。なお、前記認証制御部１５１は、前記操作表示部１６に対するログアウト操作が行われた場合、予め設定された時間が経過した場合、又は他のユーザーをログインさせる場合に、現在ログイン中のユーザーをログアウトさせるログアウト処理を実行する。
【００３３】
前記第１特定部１５２は、前記画像形成装置１０にログインしたユーザーに対応する前記情報処理装置２０を特定する。具体的に、前記第１特定部１５２は、ログインしたユーザーに対応する前記装置特定情報を前記記憶部１８から取得することにより、前記情報処理装置２０を特定する。
【００３４】
前記データ制御部１５３は、前記送信ジョブが実行される場合に、前記画像形成装置１０に入力される画像データを前記記憶部１８に記憶させて、前記送信ジョブが正常終了した後に前記画像データを前記記憶部１８から削除する。また、前記データ制御部１５３は、前記送信ジョブが実行される場合に、前記送信ジョブについて設定された前記第１設定情報を前記記憶部１８に記憶させる。
【００３５】
前記第２特定部１５４は、前記印刷ジョブの送信元に対応する前記情報処理装置２０を特定する。具体的に、前記第２特定部１５４は、外部通信機器から前記通信ネットワーク３０を介して前記印刷ジョブが送信された場合に、前記印刷ジョブを送信した外部通信機器に対応する前記装置特定情報を前記記憶部１８から取得することにより、前記情報処理装置２０を特定する。
【００３６】
前記第１実行部１５５は、前記ジョブを実行する。具体的に、前記第１実行部１５５は、前記送信ジョブの実行を指示する旨のユーザーの操作入力が前記操作表示部１６に対して行われた場合に、前記第１設定情報に基づいて前記送信ジョブを実行する。また、前記第１実行部１５５は、外部通信機器から前記通信ネットワーク３０を介して前記印刷ジョブが送信された場合に、前記第２設定情報に基づいて前記印刷ジョブを実行する。
【００３７】
ここで、前記第１実行部１５５は、実行中の前記ジョブについてエラーが発生した場合に、前記ジョブについて発生したエラーを識別するためのエラー識別情報を前記検出部１５６に出力する。例えば、前記エラー識別情報は複数桁のエラーコードである。
【００３８】
前記検出部１５６は、前記第１実行部１５５又は前記第２実行部１５８で実行される前記ジョブのエラーを検出する。具体的に、前記検出部１５６は、前記第１実行部１５５又は前記第２実行部１５８から前記エラー識別情報が出力された場合に、前記ジョブのエラーを検出する。
【００３９】
また、前記検出部１５６は、前記ジョブのエラーを検出した場合に、前記第１実行部１５５又は前記第２実行部１５８に前記ジョブの実行を中断させる。そして、前記検出部１５６は、前記印刷ジョブについてエラーが発生した場合には、未出力の画像データ及び前記第２設定情報を前記記憶部１８に記憶させる。
【００４０】
前記第１送信部１５７は、前記検出部１５６により前記送信ジョブのエラーが検出された場合に、検出されたエラーに関するエラー情報及び前記第１設定情報を、予め設定された前記情報処理装置２０に送信可能である。具体的に、前記第１送信部１５７は、前記第１特定部１５２により特定された前記情報処理装置２０を、前記エラー情報及び前記第１設定情報の送信先として設定する。ここで、前記エラー情報には、前記エラー識別情報及び前記画像形成装置１０の機種を識別するための機種識別情報が含まれる。
【００４１】
また、前記第１送信部１５７は、前記検出部１５６により前記印刷ジョブのエラーが検出された場合に、前記送信ジョブと同様に、前記エラー情報及び前記第２設定情報を、予め設定された前記情報処理装置２０に送信可能である。具体的に、前記第１送信部１５７は、前記第２特定部１５４により特定された前記情報処理装置２０を、前記エラー情報及び前記第２設定情報の送信先として設定する。
【００４２】
ここで、前記第１送信部１５７は、前記設定情報のうち、前記エラー識別情報に対応付けて予め定められた一部又は全部の前記設定情報を前記情報処理装置２０に送信する。具体的に、前記画像形成装置１０では、前記設定情報の一部又は全部が予め前記エラー識別情報に対応付けられて前記記憶部１８に記憶されている。
【００４３】
例えば、前記第１送信部１５７は、前記エラー識別情報により識別される前記送信ジョブのエラーが送信先を特定できなかったことによる送信失敗の場合に、前記第１設定情報に含まれる画像データの送信先を示す情報を送信する。
【００４４】
また、前記第１送信部１５７は、前記エラー識別情報により識別される前記印刷ジョブのエラーが印刷用紙切れである場合に、前記第２設定情報に含まれる画像データの出力倍率を示す情報、使用する給紙カセットを示す情報、及び用紙サイズを示す情報を送信する。
【００４５】
なお、前記エラー識別情報に対応する前記設定情報が前記記憶部１８に記憶されていない場合には、前記第１送信部１５７は前記設定情報を送信せず、前記エラー情報のみ送信する。例えば、前記第１送信部１５７は、前記エラー識別情報により識別される前記送信ジョブのエラーが送信先側のネットワーク設定に起因する送信失敗の場合に、前記第１設定情報を送信しない。
【００４６】
前記第２実行部１５８は、前記情報処理装置２０から送信される前記ジョブの再実行指示及び前記情報処理装置２０によって変更された前記設定情報に基づいて、前記ジョブを再度実行する。
【００４７】
ここで、前記第２実行部１５８は、再度実行する前記ジョブが前記送信ジョブである場合には、前記データ制御部１５３により前記記憶部１８に記憶された画像データ及び前記第１設定情報に基づいて前記送信ジョブを実行する。即ち、前記第２実行部１５８は、前記情報処理装置２０から送信された前記第１設定情報の一部と、前記記憶部１８に記憶された前記第１設定情報の一部に基づいて前記送信ジョブを再度実行する。また、前記第２実行部１５８は、再度実行する前記ジョブが前記印刷ジョブである場合には、前記第１実行部１５５により前記記憶部１８に記憶された未出力の画像データ及び前記第２設定情報に基づいて前記印刷ジョブを実行する。
【００４８】
なお、前記第２実行部１５８は、前記第１実行部１５５と同様に、実行中の前記ジョブについてエラーが発生した場合に、前記エラー識別情報を前記検出部１５６に出力する。
【００４９】
［情報処理装置２０］
前記情報処理装置２０は、図１に示すように、制御部２１、操作表示部２２、通信部２３、及び記憶部２４を備える情報処理装置である。具体的に、前記画像処理システム１００において、前記情報処理装置２０はスマートフォン、携帯電話、タブレット端末などの携帯端末である。なお、前記情報処理装置２０は、パーソナルコンピューターなどの情報処理装置であってもよい。
【００５０】
前記制御部２１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＲＯＭ又は前記記憶部２４に予め記憶された各種の制御プログラムを前記ＣＰＵを用いて実行することにより前記情報処理装置２０を統括的に制御する。なお、前記制御部２１は、集積回路（ＡＳＩＣ）などの電子回路であってもよい。
【００５１】
前記操作表示部２２は、前記制御部２１からの制御指示に応じて各種の情報を表示する液晶パネルなどの表示部、及びユーザーの操作に応じて前記制御部２１に各種の情報を入力する操作キー又はタッチパネルなどの操作部を有する。
【００５２】
前記通信部２３は、前記画像形成装置１０などの外部通信機器との間で、前記通信ネットワーク３０を介して有線又は無線によるデータ通信を実行する。
【００５３】
前記記憶部２４は、ＳＳＤ又はＨＤＤなどの記憶部であり、前記制御部２１によるデータの読み書きが可能である。
【００５４】
また、前記記憶部２４には、前記制御部２１に後述の設定変更処理（図４のフローチャート参照）を実行させるための設定変更プログラムが予め記憶されている。なお、前記設定変更プログラムは、ＣＤ、ＤＶＤ、フラッシュメモリーなどのコンピューター読み取り可能な記録媒体に記録されており、前記記録媒体から前記記憶部２４などの記憶部にインストールされてもよい。
【００５５】
そして、前記制御部２１は、図１に示すように、表示制御部２１１、変更部２１２、及び第２送信部２１３を含む。前記制御部２１は、前記記憶部２４に記憶された前記設定変更プログラムを前記ＣＰＵを用いて実行することにより、前記表示制御部２１１、前記変更部２１２、及び前記第２送信部２１３として機能する。
【００５６】
前記表示制御部２１１は、前記画像形成装置１０から前記エラー情報及び前記設定情報が送信された場合に、前記エラー識別情報により識別されるエラーの内容及び対処方法を示す対処情報を取得して、前記設定情報及び前記対処情報の内容を示すためのエラー画面を前記操作表示部２２に表示させる。
【００５７】
例えば、前記表示制御部２１１は、外部のサーバーから前記対処情報を取得する。具体的に、前記表示制御部２１１は、前記通信ネットワーク３０を介して前記サーバーに前記エラー情報を送信する。ここで、前記サーバーでは、前記画像形成装置１０の機種毎に、前記エラー識別情報と前記対処情報とが予め対応付けて記憶されている。前記サーバーは、前記情報処理装置２０から前記エラー情報を受信すると、前記エラー情報に含まれる前記機種識別情報に基づいて前記画像形成装置１０の機種を識別し、識別された機種における前記エラー識別情報に対応する前記対処情報を取得して、前記情報処理装置２０に送信する。なお、前記対処情報は、例えばエラーの内容及び対処方法を示すテキストデータ又は画像データである。なお、前記対処情報が音声データ又は動画データであってもよい。
【００５８】
前記変更部２１２は、前記画像形成装置１０から送信された前記設定情報を変更可能である。具体的に、前記変更部２１２は、前記エラー画面におけるユーザーの変更指示操作に応じて、前記設定情報を変更するための設定変更画面を前記操作表示部２２に表示させる。そして、前記変更部２１２は、前記設定変更画面におけるユーザーの設定変更操作に応じて、前記設定情報を変更する。
【００５９】
前記第２送信部２１３は、前記変更部２１２による変更後の前記設定情報を含む前記ジョブの再実行指示を前記画像形成装置１０に送信可能である。具体的に、前記第２送信部２１３は、前記エラー画面におけるユーザーの実行指示操作に応じて、前記再実行指示を送信可能である。
【００６０】
以下、前記画像処理システム１００において、前記画像処理装置１０で実行される送信制御処理、及び前記情報処理装置２０で実行される設定変更処理について説明する。
【００６１】
［送信制御処理］
まず、図３を参照しつつ、前記画像形成装置１０において前記制御部１５により実行される前記送信制御処理の手順の一例について説明する。ここで、ステップＳ１１、Ｓ１２・・・は、前記制御部１５により実行される処理手順（ステップ）の番号を表している。なお、前記制御部１５は、前記画像形成装置１０のユーザーにより前記送信ジョブの実行を指示する旨の操作入力が前記操作表示部１６に対して行われ、前記画像読取部２により原稿の画像データが読み取られた場合に、前記送信制御処理を実行する。また、前記制御部１５は、外部通信機器から前記通信ネットワーク３０を介して前記印刷ジョブが送信された場合に、前記送信制御処理を実行する。
【００６２】
ここで、前記画像形成装置１０では、ユーザーは前記画像形成装置１０を使用する際に、予め前記画像形成装置１０にログインする必要がある。即ち、前記画像形成装置１０では、前記送信ジョブが実行される前に、前記認証処理が実行される。ここに、前記認証処理は、前記制御部１５の前記認証制御部１５１により実行される。
【００６３】
＜ステップＳ１１＞
まず、ステップＳ１１において、前記制御部１５は、実行される前記ジョブが前記送信ジョブであるか否かを判断する。
【００６４】
ここで、前記制御部１５は、実行される前記ジョブが前記送信ジョブであると判断すると（Ｓ１１のＹｅｓ側）、処理をステップＳ１２に移行させる。また、実行される前記ジョブが前記送信ジョブでなければ（Ｓ１１のＮｏ側）、前記制御部１５は、処理をステップＳ１１１に移行させる。
【００６５】
＜ステップＳ１１１＞
ステップＳ１１１において、前記制御部１５は、前記印刷ジョブの送信元に対応する前記情報処理装置２０を特定する。そして、前記制御部１５は、特定された前記情報処理装置２０を、前記エラー情報及び前記第２設定情報の送信先として設定する。
【００６６】
具体的に、前記制御部１５は、前記印刷ジョブを送信した外部通信機器に対応する前記装置特定情報を前記記憶部１８から取得することにより、前記情報処理装置２０を特定する。ここに、前記ステップＳ１１１の前記情報処理装置２０を特定する処理は、前記制御部１５の前記第２特定部１５４により実行される。
【００６７】
また、前記制御部１５は、取得された前記装置特定情報を前記ＲＡＭの予め定められた領域に記憶させることで、特定された前記情報処理装置２０を前記エラー情報及び前記第２設定情報の送信先として設定する。ここに、前記ステップＳ１１１の前記エラー情報及び前記第２設定情報の送信先を設定する処理は、前記制御部１５の前記第１送信部１５７により実行される。
【００６８】
＜ステップＳ１２＞
ステップＳ１２において、前記制御部１５は、前記画像形成装置１０にログインしたユーザーに対応する前記情報処理装置２０を特定する。そして、前記制御部１５は、特定された前記情報処理装置２０を、前記エラー情報及び前記第１設定情報の送信先として設定する。
【００６９】
具体的に、前記制御部１５は、ログインしたユーザーに対応する前記装置特定情報を前記記憶部１８から取得することにより、前記情報処理装置２０を特定する。ここに、前記ステップＳ１２の前記情報処理装置２０を特定する処理は、前記制御部１５の前記第１特定部１５２により実行される。
【００７０】
また、前記制御部１５は、前記ステップＳ１１１と同様に、取得された前記装置特定情報を前記ＲＡＭの前記領域に記憶させることで、特定された前記情報処理装置２０を前記エラー情報及び前記第１設定情報の送信先として設定する。ここに、前記ステップＳ１２の前記エラー情報及び前記第１設定情報の送信先を設定する処理は、前記制御部１５の前記第１送信部１５７により実行される。
【００７１】
＜ステップＳ１３＞
ステップＳ１３において、前記制御部１５は、前記画像読取部２で読み取られた画像データ及び前記第１設定情報を前記記憶部１８に記憶させる。これにより、前記画像形成装置１０の前記制御プログラムにおいて、前記送信ジョブがエラーにより終了した場合には画像データ及び前記第１設定情報を削除する旨設定されていたとしても、前記送信ジョブの設定及び前記画像読取部２での原稿の画像データの読み取りをやり直す必要がない。ここに、前記ステップＳ１３の処理は、前記制御部１５の前記データ制御部１５３により実行される。
【００７２】
＜ステップＳ１４＞
ステップＳ１４において、前記制御部１５は、前記設定情報に基づいて前記ジョブを実行する。ここに、前記ステップＳ１４の処理は、前記制御部１５の前記第１実行部１５５により実行される。
【００７３】
＜ステップＳ１５＞
ステップＳ１５において、前記制御部１５は、前記ステップＳ１４で実行された前記ジョブが終了したか否かを判断する。
【００７４】
ここで、前記制御部１５は、前記ジョブが終了したと判断すると（Ｓ１５のＹｅｓ側）、前記送信制御処理を終了する。なお、前記制御部１５は、前記ステップＳ１３で画像データ及び前記第１設定情報が前記記憶部１８に記憶された場合において、前記送信制御処理の終了後に、前記記憶部１８に記憶された画像データ及び前記第１設定情報を削除する。ここに、前記記憶部１８に記憶された画像データ及び前記第１設定情報を削除する処理は、前記制御部１５の前記データ制御部１５３により実行される。また、前記ジョブが終了していなければ（Ｓ１５のＮｏ側）、前記制御部１５は、処理をステップＳ１６に移行させる。
【００７５】
＜ステップＳ１６＞
ステップＳ１６において、前記制御部１５は、前記ステップＳ１４で実行された前記ジョブのエラーを検出したか否かを判断する。具体的に、前記制御部１５は、前記エラー識別信号が出力された場合に、前記ジョブのエラーを検出する。ここに、前記ステップＳ１６の処理が、本発明における検出ステップの一例であって、前記制御部１５の前記検出部１５６により実行される。
【００７６】
ここで、前記制御部１５は、前記ジョブのエラーを検出したと判断すると（Ｓ１６のＹｅｓ側）、前記ジョブの実行を中断して、前記ジョブが前記印刷ジョブである場合には未出力の画像データ及び前記第２設定情報を前記記憶部１８に記憶させる。そして、前記制御部１５は、処理をステップＳ１７に移行させる。また、前記ジョブのエラーを検出していなければ（Ｓ１６のＮｏ側）、前記制御部１５は、処理をステップＳ１５に戻して、前記ジョブの終了又は前記ジョブについてのエラーの検出を待ち受ける。
【００７７】
＜ステップＳ１７＞
ステップＳ１７において、前記制御部１５は、前記ステップＳ１６で検出されたエラーに関する前記エラー情報及び前記設定情報を、前記ステップＳ１１１又は前記ステップＳ１２で送信先として設定された前記情報処理装置２０に送信する。ここに、前記ステップＳ１７の処理が、本発明における第１送信ステップの一例であって、前記制御部１５の前記第１送信部１５７により実行される。
【００７８】
ここで、前記制御部１５は、前記エラー識別情報に対応する前記設定情報を前記記憶部１８から取得して、取得された前記設定情報を送信する。なお、前記制御部１５は、前記エラー識別情報に対応する前記設定情報が記憶されていない場合には、前記設定情報を送信せず、前記エラー情報のみ送信する。これにより、前記情報処理装置２０に送信されるデータ量が抑制されて迅速に送信可能であると共に、前記情報処理装置２０で前記設定情報が変更される際に、エラーの解消に無関係な前記設定情報が存在することでユーザーが戸惑う事態が回避される。
【００７９】
＜ステップＳ１８＞
ステップＳ１８において、前記制御部１５は、前記ステップＳ１７で前記エラー情報及び前記設定情報を送信した前記情報処理装置２０から前記再実行指示を受信したか否かを判断する。
【００８０】
ここで、前記制御部１５は、前記情報処理装置２０から前記再実行指示を受信したと判断すると（Ｓ１８のＹｅｓ側）、処理をステップＳ１９に移行させる。また、前記情報処理装置２０から前記再実行指示を受信していなければ（Ｓ１８のＮｏ側）、前記制御部１５は、前記ステップＳ１８で前記情報処理装置２０からの前記再実行指示の受信を待ち受ける。
【００８１】
＜ステップＳ１９＞
ステップＳ１９において、前記制御部１５は、前記ステップＳ１８で受信した前記再実行指示及び前記再実行指示に含まれる前記設定情報に基づいて、前記ジョブを再度実行する。ここで、前記制御部１５は、再度実行する前記ジョブが前記送信ジョブである場合には、前記ステップＳ１３で前記記憶部１８に記憶された画像データ及び前記第１設定情報に基づいて前記送信ジョブを実行する。また、前記制御部１５は、再度実行する前記ジョブが前記印刷ジョブである場合には、前記ステップＳ１６で前記記憶部１８に記憶された未出力の画像データ及び前記第２設定情報に基づいて前記印刷ジョブを実行する。ここに、前記ステップＳ１９の処理が、本発明におけるジョブ実行ステップの一例であって、前記制御部１５の前記第２実行部１５８により実行される。
【００８２】
［設定変更処理］
次に、図４を参照しつつ、前記情報処理装置２０において前記制御部２１により実行される前記設定変更処理の手順の一例について説明する。なお、前記制御部２１は、前記画像形成装置１０から前記エラー情報及び前記設定情報が送信された場合に、前記設定変更処理を実行する。
【００８３】
＜ステップＳ２１＞
まず、ステップＳ２１において、前記制御部２１は、前記画像形成装置１０から受信した前記エラー情報を前記サーバーに送信して、前記サーバーから前記対処情報を取得する。
【００８４】
ここで、前記情報処理装置２０から前記エラー情報が送信された前記サーバーでは、前記エラー情報に含まれる前記機種識別情報に基づいて前記画像形成装置１０の機種が識別される。そして、前記サーバーにおいて、識別された機種における前記エラー識別情報に対応する前記対処情報が取得されて、取得された前記対処情報が前記情報処理装置２０に送信される。このように、前記情報処理装置２０から前記サーバーに送信される前記エラー情報に前記機種識別情報が含まれる場合には、前記画像形成装置１０の機種の違いによる前記エラー識別情報の内容及びデータ形式の違いを吸収可能となり、誤った前記対処情報が取得されることが防止される。
【００８５】
なお、前記記憶部２４に前記画像形成装置１０の機種毎に前記エラー識別情報と前記対処情報とが予め対応付けて記憶されており、前記制御部２１が、前記画像形成装置１０から受信した前記エラー情報に基づいて、前記記憶部２４から前記対処情報を取得する構成も考えられる。また、前記画像形成装置１０が、前記情報処理装置２０に前記対処情報を含む前記エラー情報を送信する構成であってもよい。これらの構成と比較して、前記サーバーから前記対処情報を取得する構成では、前記対処情報を記憶するための記憶容量を前記画像形成装置１０の前記記憶部１８又は前記情報処理装置２０の前記記憶部２４に確保する必要がなく、構成の簡素化が可能である。
【００８６】
＜ステップＳ２２＞
ステップＳ２２において、前記制御部２１は、前記画像形成装置１０から受信した前記設定情報及び前記ステップＳ２１で取得された前記対処情報の内容を示す前記エラー画面を前記操作表示部２２に表示させる。ここに、前記ステップＳ２１及び前記ステップＳ２２の処理は、前記制御部２１の前記表示制御部２１１により実行される。
【００８７】
ここで、図５に前記ステップＳ２２で表示される前記エラー画面の一例を示す。図５に示す表示画面２５では、前記送信ジョブのエラーが送信先を特定できなかったことによる送信失敗の場合の、前記対処情報及び前記設定情報の内容が表示されている。また、前記表示画面２５において、前記変更指示操作を行うための設定変更キー２５１、前記実行指示操作を行うための再実行キー２５２、及び前記設定変更処理を終了するための終了キー２５３が表示されている。これにより、ユーザーは、前記表示画面２５に表示された前記設定情報及び前記対処情報の内容を確認して、前記設定情報の変更、前記ジョブの再実行、又は前記設定変更処理の終了を選択可能である。
【００８８】
なお、前記印刷ジョブのエラーが印刷用紙切れである場合には、その旨及び画像データの出力倍率の設定、使用する給紙カセットの設定、及び用紙サイズの設定の設定変更を促す旨の前記エラー画面が表示される。また、前記送信ジョブのエラーが送信先側のネットワーク設定に起因する送信失敗の場合には、その旨及び送信先側のネットワーク設定の変更又はネットワークケーブルの接続確認等を促す旨の前記エラー画面が表示される。
【００８９】
＜ステップＳ２３＞
ステップＳ２３において、前記制御部２１は、前記ステップＳ２２で表示された前記エラー画面において、ユーザーにより前記実行指示操作が行われたか否かを判断する。例えば、前記制御部２１は、前記表示画面２５において、前記再実行キー２５２が操作された場合に、前記実行指示操作が行われたと判断する。
【００９０】
ここで、前記制御部２１は、前記実行指示操作が行われたと判断すると（Ｓ２３のＹｅｓ側）、処理をステップＳ２８に移行させる。また、前記実行指示操作が行われていなければ（Ｓ２３のＮｏ側）、前記制御部２１は、処理をステップＳ２４に移行させる。
【００９１】
＜ステップＳ２４＞
ステップＳ２４において、前記制御部２１は、前記ステップＳ２２で表示された前記エラー画面において、ユーザーにより前記変更指示操作が行われたか否かを判断する。例えば、前記制御部２１は、前記表示画面２５において、前記設定変更キー２５１が操作された場合に、前記変更指示操作が行われたと判断する。
【００９２】
ここで、前記制御部２１は、前記変更指示操作が行われたと判断すると（Ｓ２４のＹｅｓ側）、処理をステップＳ２５に移行させる。また、前記変更指示操作が行われていなければ（Ｓ２４のＮｏ側）、前記制御部２１は、処理をステップＳ２３に戻して、ユーザーにより前記実行指示操作又は前記変更指示操作が行われるのを待ち受ける。
【００９３】
なお、例えば前記画像形成装置１０で発生した前記印刷ジョブのエラーが用紙詰まりである場合には、ユーザーは前記画像形成装置１０の内部から用紙を取り出した後、前記画像形成装置１０において直接前記印刷ジョブの再開操作を行うことが考えられる。そこで、前記設定変更処理では、前記制御部２１は、前記表示画面２５においてユーザーにより前記終了キー２５３が操作された場合に、前記設定変更処理を終了する。
【００９４】
＜ステップＳ２５＞
ステップＳ２５において、前記制御部２１は、前記操作表示部２２に前記設定変更画面を表示させる。
【００９５】
ここで、図６に前記ステップＳ２５で表示される前記設定変更画面の一例を示す。図６に示す表示画面２６は、前記表示画面２５において前記設定変更キー２５１が操作された場合に表示される。前記表示画面２６には、前記設定情報を変更するための設定変更欄２６１が表示されており、ユーザーは前記設定変更欄２６１において入力操作を行うことで、前記設定情報を変更可能である。例えば、前記表示画面２６では、前記表示画面２５で表示された送信先「ｘｘｘａ＠ｘｘｘｘ．ｃｏ．ｊｐ」が、「ｘｘｘｘ＠ｘｘｘｘ．ｃｏ．ｊｐ」に変更されている。また、前記表示画面２６には、前記設定情報の変更を確定させるための決定キー２６２、及び前記設定情報の変更を取り消すためのキャンセルキー２６３が表示されている。ユーザーは、前記表示画面２６において、前記決定キー２６２又は前記キャンセルキー２６３を操作することで、前記設定情報の変更を終了することが可能である。
【００９６】
＜ステップＳ２６＞
ステップＳ２６において、前記制御部２１は、前記設定変更画面においてユーザーにより前記設定変更操作が行われたか否かを判断する。例えば、前記制御部２１は、前記表示画面２６において、前記決定キー２６２が操作された場合に、前記設定変更操作が行われたと判断する。
【００９７】
ここで、前記制御部２１は、前記設定変更操作が行われたと判断すると（Ｓ２６のＹｅｓ側）、処理をステップＳ２７に移行させる。また、前記設定変更操作が行われていなければ（Ｓ２６のＮｏ側）、前記制御部２１は、前記ステップＳ２６で、ユーザーにより前記設定変更操作が行われるのを待ち受ける。なお、前記設定変更処理では、前記制御部２１は、前記表示画面２６においてユーザーにより前記キャンセルキー２６３が操作された場合に、処理を前記ステップＳ２３に戻す。
【００９８】
＜ステップＳ２７＞
ステップＳ２７において、前記制御部２１は、前記設定変更画面におけるユーザーの前記設定変更操作に応じて、前記設定情報を変更する。そして、前記制御部２１は、前記操作表示部２２に前記エラー画面を表示させる。ここで、前記制御部２１は、変更後の前記設定情報に基づいて前記エラー画面を表示させる。これにより、ユーザーは、変更後の設定内容を確認して、前記実行指示操作を行うことが可能である。ここに、前記ステップＳ２７の処理が、本発明における変更ステップの一例であって、前記制御部２１の前記変更部２１２により実行される。
【００９９】
＜ステップＳ２８＞
ステップＳ２８において、前記制御部２１は、前記エラー画面における前記実行指示操作に応じて、前記再実行指示を前記画像形成装置１０に送信する。そして、前記制御部２１は、前記設定変更処理を終了する。ここに、前記ステップＳ２８の処理が、本発明における第２送信ステップの一例であって、前記制御部２１の前記第２送信部２１３により実行される。
【０１００】
ここで、前記ステップＳ２７で前記設定情報が変更された場合には、変更後の前記設定情報を含む前記再実行指示が前記画像形成装置１０に送信される。これにより、前記画像形成装置１０において、変更後の前記設定情報に基づいて前記ジョブを再度実行することが可能となり、前記設定情報に起因する前記ジョブのエラーが解消される。
【０１０１】
このように、前記画像処理システム１００では、前記画像形成装置１０が前記情報処理装置２０で変更された前記設定情報に基づいて、エラーが発生した前記ジョブを再度実行する。そのため、前記画像形成装置１０から離れた場所で、前記画像形成装置１０において実行される前記ジョブのエラーを解消して、前記ジョブを再度実行することが可能である。
【０１０２】
なお、前記情報処理装置２０が常時携帯される携帯端末である場合には、ユーザーは前記画像形成装置１０でのエラーの発生を直ちに認識して、その場でエラーを解消するための設定変更を行うことが可能となる。そのため、前記情報処理装置２０が据え置き型のパーソナルコンピューターなどの場合と比べて、前記画像形成装置１０で発生したエラーに対する迅速な対処が可能となる。
【符号の説明】
【０１０３】
１０  ：画像形成装置
１１  ：ＡＤＦ
１２  ：画像読取部
１３  ：画像形成部
１４  ：給紙部
１５  ：制御部
１５１：認証制御部
１５２：第１特定部
１５３：データ制御部
１５４：第２特定部
１５５：第１実行部
１５６：検出部
１５７：第１送信部
１５８：第２実行部
１６  ：操作表示部
１７  ：通信部
１８  ：記憶部
２０  ：情報処理装置
２１  ：制御部
２１１：表示制御部
２１２：変更部
２１３：第２送信部
２２  ：操作表示部
２３  ：通信部
２４  ：記憶部
３０  ：通信ネットワーク
１００：画像処理システム
【図１】
2015186208.tif 000003
【図２】
2015186208.tif 000004
【図３】
2015186208.tif 000005
【図４】
2015186208.tif 000006
【図５】
2015186208.tif 000007
【図６】
2015186208.tif 000008